(57)【特許請求の範囲】
【請求項１】
位置情報を取得する位置取得部と、
ネットワークを介して複数の他の情報表示装置と通信する通信部と、
ユーザからの操作に応じて、前記複数の他の情報表示装置の記憶部に記憶された設定管理情報に基づき前記位置情報に対応する複数の設定情報を定める設定管理部と、
情報を表示する表示部と、
前記定められた複数の設定情報のうちの最大値を使用して前記表示部に表示する情報の出力を制御する制御部と、
を備える情報表示装置。
【請求項２】
位置情報を取得する位置取得部と、
ネットワークを介して外部の記憶装置と通信する通信部と、
ユーザからの操作に応じて、前記外部の記憶装置に記憶された複数の他の情報表示装置の設定管理情報に基づき前記位置情報に対応する複数の設定情報を定める設定管理部と、
情報を表示する表示部と、
前記定められた複数の設定情報のうちの最大値を使用して前記表示部に表示する情報の出力を制御する制御部と、
を備える情報表示装置。
【請求項３】
前記定められた設定情報を記憶する記憶部を更に有することを特徴とする請求項１に記載の情報表示装置。
【請求項４】
前記通信部は、
前記定められた設定情報を前記外部の記憶装置に送信することを特徴とする請求項２に記載の情報表示装置。
【請求項５】
ユーザ操作により設定された省エネ情報を記憶する記憶部を更に有し、
前記設定管理部は、
前記記憶部に記憶された前記省エネ情報を取得し、
前記制御部は、
前記省エネ情報が省エネルギーモードに設定されている場合、前記複数の設定情報のうちの最小値に基づき前記表示部に表示する情報の出力を制御し、
前記省エネ情報が通常モードに設定されている場合、前記複数の設定情報のうちの最大値を使用して前記表示部に表示する情報の出力を制御することを特徴とする請求項１又は２に記載の情報表示装置。
【請求項６】
前記設定管理部は、
前記他の情報表示装置の記憶部に記憶された、前記他の情報表示装置を制御するための第１の制御パラメータを取得し、前記第１の制御パラメータに基づき前記定められた設定情報を自己の情報表示装置用の設定情報に変換し、
前記制御部は、
前記変換された自己の情報表示装置用の設定情報を使用して前記表示部に表示する情報の出力を制御することを特徴とする請求項１又は３に記載の情報表示装置。
【請求項７】
前記設定管理部は、
前記外部の記憶装置に記憶された、前記他の情報表示装置を制御するための第１の制御パラメータを取得し、前記第１の制御パラメータに基づき前記定められた設定情報を自己の情報表示装置用の設定情報に変換し、
前記制御部は、
前記変換された自己の情報表示装置用の設定情報を使用して前記表示部に表示する情報の出力を制御することを特徴とする請求項２又は４に記載の情報表示装置。
【請求項８】
前記設定管理部は、
前記第１の制御パラメータと前記自己の情報表示装置を制御するための第２の制御パラメータとを比較し、前記定められた設定情報に対応する第1の制御パラメータと一致する第２の制御パラメータが検出された場合、第２の制御パラメータに対応する設定情報を前記自己の情報表示装置用の設定情報とすることを特徴とする請求項６又は７に記載の情報表示装置。
【請求項９】
前記設定管理部は、
前記第１の制御パラメータと前記自己の情報表示装置を制御するための第２の制御パラメータとを比較し、前記定められた設定情報に対応する第1の制御パラメータと一致する第２の制御パラメータが検出されなかった場合であって、該定められた設定情報に対応する第１の制御パラメータより大きい値を有する第２の制御パラメータが存在する場合、該第２の制御パラメータの最小値に対応する設定情報を前記自己の情報表示装置用の設定情報とすることを特徴とする請求項６又は７に記載の情報表示装置。
【請求項１０】
前記設定管理部は、
前記第１の制御パラメータと前記自己の情報表示装置を制御するための第２の制御パラメータとを比較し、前記定められた設定情報に対応する第1の制御パラメータと一致する第２の制御パラメータが検出されなかった場合であって、該定められた設定情報に対応する第１の制御パラメータより大きい値を有する第２の制御パラメータが存在しない場合、該第２の制御パラメータの最大値に対応する設定情報を前記自己の情報表示装置用の設定情報とすることを特徴とする請求項６又は７に記載の情報表示装置。
【請求項１１】
前記設定管理部は、
前記設定管理情報に基づき前記位置情報に対応する設定情報を定める際、該設定管理情報に含まれる時間帯情報を用いて現在時刻を含む時間帯の設定情報を定めることを特徴とする請求項１〜１０のいずれか一項に記載の情報表示装置。
【請求項１２】
前記設定管理部は、
前記設定管理情報に基づき前記位置情報に対応する設定情報を定める際、該設定管理情報に含まれる明るさ情報を用いて現在の明るさに一致する又は現在の明るさより大きい明るさ情報のうちの最小値の設定情報を定めることを特徴とする請求項１〜１１のいずれか一項に記載の情報表示装置。
【請求項１３】
前記制御部は、
前記設定情報を使用して前記表示部の光量を制御することを特徴とする請求項１〜１２のいずれか一項に記載の情報表示装置。
【発明の詳細な説明】
【技術分野】
【０００１】
本発明は、情報表示装置に関する。
【背景技術】
【０００２】
近年、ＰＣ等に保存されている資料をプロジェクタに投影しながら会議を進めることが頻繁に行われている。プロジェクタは持ち運び可能であり、使用される会議室内の環境に応じて、明るさ、色の濃さ、色合い等の設定情報を設定する必要がある。そこで、プロジェクタを使用する際、そのプロジェクタの位置に適した設定に設定情報を自動制御する技術が既に知られている。
【０００３】
例えば、特許文献１には、プロジェクタの位置情報とその位置における設定情報を予め保存し、プロジェクタを使用する際にプロジェクタの位置に対応する設定情報を読み出すことにより、そのプロジェクタの位置に適した設定に設定情報を自動制御する技術が開示されている。特許文献１では、使用する位置情報はプロジェクタの配置位置であり、その場所や傾きに基づき投影画像の補正等の設定を行う。
【０００４】
また、特許文献２には、ＭＦＰ（Ｍｕｌｔｉｆｕｎｃｔｉｏｎ  Ｐｅｒｉｐｈｅｒａｌ）においてサーバに保存されている汎用情報（スケジュール情報など）に基づき印刷設定情報を作成する技術が開示されている。
【発明の概要】
【発明が解決しようとする課題】
【０００５】
しかしながら、特許文献１、２では、自己のプロジェクタの設定情報を自動制御する際に他のプロジェクタの設定情報を利用することは想定されていない。
【０００６】
一方、自己のプロジェクタの設定情報を自動制御する際、他のプロジェクタの設定情報を利用すれば、より迅速に、使用環境に適した設定情報を設定することができる。
【０００７】
上記課題に鑑み、本発明の目的とするところは、他の情報表示装置の設定情報を利用して自己の情報表示装置の位置に対応する設定情報を設定することが可能な情報表示装置を提供することにある。
【課題を解決するための手段】
【０００８】
上記課題を解決するために、本発明のある観点によれば、
位置情報を取得する位置取得部と、
ネットワークを介して他の情報表示装置と通信する通信部と、
ユーザからの操作に応じて、前記他の情報表示装置の記憶部に記憶された設定管理情報に基づき前記位置情報に対応する設定情報を定める設定管理部と、
情報を表示する表示部と、
前記設定情報を使用して前記表示部に表示する情報の出力を制御する制御部と、
を備える情報表示装置が提供される。
【発明の効果】
【０００９】
本発明によれば、他の情報表示装置の設定情報を使用して自己の情報表示装置の位置に対応する設定情報を設定することができる。
【図面の簡単な説明】
【００１０】
【図１】第１〜第６実施形態に係るシステム構成図。
【図２】第１〜第４実施形態に係るプロジェクタの内部構成図。
【図３】変形例に係るシステム構成図。
【図４】変形例に係るプロジェクタの内部構成図。
【図５】第１〜第４実施形態に係る設定管理情報の一例を示した図。
【図６】第１〜第６実施形態に係る位置情報変換テーブルの一例を示した図。
【図７】第１〜第３実施形態に係る設定管理情報を保存するシーケンス図。
【図８】第１〜第３実施形態に係る設定情報を決定するシーケンス図。
【図９】第１及び第２実施形態に係る設定情報決定処理を示したフローチャート。
【図１０】第１実施形態に係る設定情報決定を説明するための図。
【図１１】第２実施形態に係る設定情報決定を説明するための図。
【図１２】第３実施形態に係る設定情報決定処理を示したフローチャート。
【図１３】第３実施形態に係る設定情報決定を説明するための図。
【図１４】第４実施形態に係る制御パラメータ変換情報の一例を示した図。
【図１５】第４実施形態に係る設定情報を決定するシーケンス図。
【図１６】第４実施形態に係る設定情報決定処理を示したフローチャート。
【図１７】第４実施形態に係る設定情報決定を説明するための図。
【図１８】第４実施形態に係る設定情報決定を説明するための図。
【図１９】第４実施形態に係る設定情報決定を説明するための図。
【図２０】第５実施形態に係るプロジェクタの内部構成図。
【図２１】第５実施形態に係る時間帯定義情報の一例を示した図。
【図２２】第５実施形態に係る設定管理情報の一例を示した図。
【図２３】第５実施形態に係る設定情報決定処理を示したフローチャート。
【図２４】第６実施形態に係るプロジェクタの内部構成図。
【図２５】第６実施形態に係る設定管理情報の一例を示した図。
【図２６】第６実施形態に係る設定情報決定処理を示したフローチャート。
【発明を実施するための形態】
【００１１】
以下、本発明の好適な実施形態について添付の図面を参照しながら説明する。なお、本明細書及び図面において、実質的に同一の機能構成を有する構成要素については、同一の符号を付することにより重複した説明を省く。
【００１２】
［システムの全体構成］
以下、第１〜第６実施形態に係る情報表示システムについて、図１を参照しながら説明する。第１〜第６実施形態に係る情報表示システム１では、通信機能及び表示機能を有する情報表示装置１０、情報表示装置４０及び情報表示装置５０がネットワーク３０を介して接続されている。情報表示装置１０、情報表示装置４０及び情報表示装置５０は、通信機能及び表示機能を有していれば、同一の装置であっても異なる装置であってもよい。以下の実施形態では、各情報表示装置としてプロジェクタを一例に挙げ、図２以下では情報表示装置１０、情報表示装置４０及び情報表示装置５０をプロジェクタ１０、プロジェクタ４０及びプロジェクタ５０に置き換えて説明する。しかし、情報表示装置はプロジェクタに限られず、タブレット型の機器等、持ち運び可能な電子機器であり得る。また、本実施形態では、自己のプロジェクタの設定情報として光量（明るさ）を例に挙げて説明するが、色の濃さ、色合い等を設定情報として自動制御してもよい。
【００１３】
本実施形態では、任意のプロジェクタが、ネットワーク３０上の他のプロジェクタ内の記憶領域に記憶された設定管理情報から所望の設定情報を取得する。ネットワーク３０としては、アナログ回線、ＡＤＳＬ回線、デジタル回線（ＩＳＤＮ回線）、光ファイバー利用回線等の固定電話回線や、携帯電話回線、ＰＨＳ回線等の移動電話回線、インターネット等を使用し得る。
【００１４】
本実施形態では、プロジェクタ１０、プロジェクタ４０及びプロジェクタ５０は同じ構成を有する。よって、図２では、プロジェクタ１０及びプロジェクタ４０の内部構成を示し、プロジェクタ５０の内部構成は省略する。なお、以下では、説明の便宜上、プロジェクタ１０が設定情報を自動制御する自己のプロジェクタとして機能し、プロジェクタ４０が他のプロジェクタとして機能することとして説明する。ただし、プロジェクタ１０、４０、５０のいずれも自己のプロジェクタとして機能することができ、プロジェクタ１０、４０、５０のいずれも他のプロジェクタとして機能することができる。
【００１５】
プロジェクタ１０は、操作部１１、位置取得部１２、通信部１３、設定管理部１４、制御部１５、表示部１６及び記憶部１７を有している。
【００１６】
操作部１１は、例えばリモコンから構成され、ユーザからの操作を受け付ける。
【００１７】
位置取得部１２は、プロジェクタ１０が配置された位置情報を取得する。位置取得部１２は、例えば、ＧＰＳ（Ｇｌｏｂａｌ  Ｐｏｓｉｔｉｏｎｉｎｇ  Ｓｙｓｔｅｍ）を用いてプロジェクタ１０の位置を示す座標を取得する。
【００１８】
通信部１３は、例えば通信回路及びアンテナから構成され、ネットワーク３０を介して他のプロジェクタと通信する。
【００１９】
設定管理部１４は、例えば図示しないＣＰＵによりその機能を実行され、操作部１１を用いたユーザ操作に応じて他のプロジェクタの記憶部に記憶された設定管理情報から位置情報に対応した設定情報を取得し、自己のプロジェクタの設定情報とする。
【００２０】
制御部１５は、例えば図示しないＣＰＵによりその機能を実行され、プロジェクタ１０全体を制御する。制御部１５は、例えば設定情報を使用して表示部１６に表示する情報の出力（光量）を制御する。
【００２１】
表示部１６は、例えばディスプレイから構成され、制御された光量にて情報をディスプレイに表示する。
【００２２】
記憶部１７は、例えば図示しないＲＡＭやＲＯＭ等のメモリから構成され、プロジェクタ１０の各機能を実現するためのプログラムや各種データを記憶する。
【００２３】
記憶部１７に記憶される設定管理情報の一例を図５に示す。設定管理情報１４０は、位置情報１４１と設定情報１４２とから構成される。ただし、設定管理情報は位置情報と設定情報の他に更なる情報を含んでもよい。
【００２４】
設定管理情報１４０は、設定管理部１４により管理される。設定管理情報１４０はプロジェクタ１０の電源が切られる際に自動的に保存される。記憶部１７は、以前に自己のプロジェクタを使用した際の設定情報を設定管理情報１４０に記憶する。よって、設定情報１４２は、ユーザが前回又はそれ以前に設定した値である。また、位置情報１４１はプロジェクタ１０が使用されていた位置であり、位置取得部１２より取得される。
【００２５】
図５では、位置情報１４１としてＡ会議室、Ｂ会議室が設定され、それぞれの会議室に対応した設定情報１４２としてレベル５、レベル３が設定されている。ここでは、以前にプロジェクタ１０がＡ会議室にて使用された際の光量と、Ｂ会議室にて使用された際の光量とをレベルの高低で示している。本実施形態では、設定情報１４２のレベルが高いほど明るく表示されるように制御される。
【００２６】
位置情報は、ＧＰＳ等から送信された座標情報を変換することにより得られる。例えば、図６に位置情報変換テーブル１２０の一例を示したように、位置情報変換テーブル１２０では、座標情報１２１と位置情報１２２とを関連づけて記憶している。位置取得部１２は、ＧＰＳ等から送信された座標情報を位置情報としての会議室名に変換し、位置情報変換テーブル１２０に記憶する。位置情報変換テーブル１２０は、プロジェクタ１０内の記憶部１７あるいはネットワーク３０上の記憶装置に保持されている。
【００２７】
プロジェクタ４０は、操作部４１、位置取得部４２、通信部４３、設定管理部４４、制御部４５、表示部４６及び記憶部４７を有している。プロジェクタ４０の各部の機能はプロジェクタ１０の各部の機能と同一であるため、ここでは説明を省略する。
【００２８】
［システムの全体構成の変形例］
なお、情報表示システム１の変形例としては、図３に示した構成を採用することもできる。変形例に係る情報表示システム１は、通信機能を有する情報表示装置１０が、ネットワーク３０を介して外部の記憶装置２０と接続され、外部の記憶装置２０から設定管理情報を取得する構成である。外部の記憶装置２０は、情報表示装置１０を管理する特定サーバ上の記憶領域であってもよく、クラウドコンピューテイング上の記憶領域を利用してもよい。
【００２９】
上記変形例に係る情報表示装置（プロジェクタ１０）は、図４に示したように、操作部１１、位置取得部１２、通信部１３、設定管理部１４、制御部１５及び表示部１６を有している。本変形例に係る情報表示装置１０は、内部に記憶部１７を有していない点で内部に記憶部１７を有する上記図２の情報表示装置１０と異なる。
【００３０】
変形例に係る情報表示システム１では、プロジェクタ１０の通信部１３はネットワーク３０を介して外部の記憶装置２０と通信する。設定管理部１４は、ユーザ操作に応じて、外部の記憶装置２０に記憶された他のプロジェクタ４０、５０の設定管理情報から、位置取得部１２により取得された位置情報に対応する設定情報を取得し、自己のプロジェクタ１０の設定情報として決定する。
【００３１】
制御部１５は、決定された設定情報を使用して表示部１６に表示する情報の出力（光量）を制御する。例えば、制御部１５は、決定された設定情報を使用して表示部１６に情報を表示する際の光量を制御する。表示部１６は制御された光量にて情報をディスプレイに表示する。
【００３２】
［設定管理情報を保存するシーケンス］
次に、設定管理情報を保存する処理について、図７の設定管理情報を保存するシーケンスを参照しながら説明する。設定管理情報の保存処理は、プロジェクタの電源が切られる際に以下の手順で実行される。なお、設定管理情報の保存処理は、すべてのプロジェクタ１０、４０、５０において実行され得る。実行の結果、各プロジェクタの記憶部に記憶された設定管理情報には、新たな設定情報が位置情報に対応付けられて保存される。以下ではプロジェクタ１０の動作について説明し、同様に動作するプロジェクタ４０、５０の動作については説明を省略する。
【００３３】
０．ユーザ操作により、プロジェクタ１０の電源が切られる。
０．１．操作部１１は、電源オフに応じて設定内容の保存を設定管理部１４に要求する。
０．２．設定管理部１４は、位置取得部１２からプロジェクタ１０の位置情報を取得する。
０．３．設定管理部１４は、取得した位置情報に今回のプロジェクタ１０の設定情報を対応付けて記憶部１７に保存する。たとえば、今回、設定レベルをレベル５に設定して会議室Ａにてプロジェクタ１０を使用した場合、図５に示したように、位置情報１４１がＡ会議室、設定情報１４２がレベル５の設定管理情報１４０が記憶部１７に保存される。
【００３４】
［設定情報を決定するシーケンス］
次に、設定情報の決定処理について、図８の設定情報を決定するシーケンスを参照しながら説明する。設定情報の決定処理は、プロジェクタの電源が投入される際に以下の手順で実行される。なお、設定情報の決定処理は、すべてプロジェクタ１０、４０、５０において実行され得る。ここでは自己のプロジェクタをプロジェクタ４０（設定情報取得側）、他のプロジェクタをプロジェクタ１０（設定提供側）とし、プロジェクタ４０の動作について説明する。自己のプロジェクタをプロジェクタ１０、５０とした場合の動作については同様であるためここでは説明を省略する。
【００３５】
１．ユーザ操作によりプロジェクタ４０の電源が投入され、プロジェクタ４０が起動する。
１．１．操作部４１は、電源オンに応じて設定情報の取得を設定管理部４４に要求する。
１．２．設定管理部４４は、位置取得部４２からプロジェクタ４０の位置情報を取得する。
１．３．設定管理部４４は、取得した現在のプロジェクタ４０の位置情報が自プロジェクタの記憶部４７の位置情報に含まれているかを検索し、含まれていればその設定情報を取得する。その場合、次に説明する２．〜２．６．の処理を行うことなく、１．４．の処理を実行してもよいし、更に２．〜２．６．の処理を行うこともできる。取得した位置情報に対応する設定情報が記憶部４７の位置情報に含まれていない場合は、２．〜２．６．の処理を行う必要がある。
【００３６】
２．取得した位置情報に対応する設定情報が記憶部４７の位置情報に含まれていない場合、現在のプロジェクタ４０の位置情報に対応した設定情報を他のプロジェクタ１０から取得する。
２．１．まず、設定管理部４４は、現在の位置情報に対する設定情報の取得を他のプロジェクタ１０に要求する。他のプロジェクタは、プロジェクタ１０に限られないがここではプロジェクタ１０を例に挙げて説明する。
２．２．通信部４３は、この要求を他のプロジェクタ１０の通信部１３に送信し、通信部１３はこの要求を受信する。
２．３．通信部１３は、この要求を他のプロジェクタ１０の設定管理部１４に伝える。
２．４．設定管理部１４は、記憶部１７から送信されたプロジェクタ４０の現在の位置情報に対応する設定情報を取得する。通信部１３は、取得された設定情報を、通信部４３を介してプロジェクタ４０に送信する。なお、プロジェクタ４０の現在の位置情報が記憶部１７に保存された位置情報に含まれない場合には、取得通信部１３はその旨を通知する。
２．５．プロジェクタ４０の設定管理部４４は、プロジェクタ１０から送られた設定情報を現在のプロジェクタ４０の位置情報に対応する設定情報として決定する。
２．６．設定管理部４４は、決定された設定情報を位置情報に対応付けて記憶部４７に保存する。なお、図３及び図４に示した変形例の場合には、通信部４３は、決定された設定情報を外部の記憶装置２０に送信し、決定された設定情報を位置情報に対応付けて外部の記憶装置２０に保存させる。
【００３７】
１．４．設定管理部４４により設定情報が決定すると、操作部４１は、設定管理部４４に情報の表示を要求する。
１．５．設定管理部４４は、記憶部４７から現在のプロジェクタ４０の位置に対応する設定情報を取得する。
１．６．制御部４５は、取得した設定情報に基づき表示部４６に表示する情報の出力（光量）を制御する。
１．７．表示部４６は、制御部４５の出力制御に従い所望の情報をディスプレイに表示する。
【００３８】
前述の通り、以上の２．〜２．６．の処理は、他のプロジェクタ５０に対して実行することもできる。その場合、設定管理部４４は、取得した位置情報に対応する設定情報を他のプロジェクタ５０の記憶部から取得することができる。よって、設定管理部４４が取得可能な設定情報の個数は、複数個であり得る。
【００３９】
また、他のプロジェクタ１０、５０以外の他のプロジェクタが存在する場合にも、通信可能な図示しない他のプロジェクタと通信し、同様の方法で該当する設定情報を取得してもよい。また、取得した位置情報に対応する設定情報が記憶部４７に記憶されている場合であっても、他のプロジェクタから更に設定情報を取得してもよい。
【００４０】
次に、複数の設定情報を取得した場合の設定情報の決定方法も含めて、設定情報の決定方法の具体例について第１〜第６実施形態に分けて記載する。なお、第１〜第６実施形態に記載された設定情報の決定方法は、単独でもそれらを組み合わせても使用可能である。
【００４１】
［設定情報の決定方法］
＜第１実施形態＞
次に、設定情報の具体的決定方法について第１〜第６実施形態を順に説明する。まず、第１実施形態に係る設定情報の決定方法について、図９に示した設定情報の決定処理のフローチャートに基づき説明する。第１実施形態では、プロジェクタ４０が他のプロジェクタ１０の記憶部１７に記憶された設定管理情報を用いて自己の位置（ここではＡ会議室）に対応する設定情報を定める。
【００４２】
前提として、本実施形態では、プロジェクタ１０の記憶部１７には、図１０に示した設定管理情報１４０が予め記憶され、プロジェクタ４０の記憶部４７には、紙面左側の設定管理情報４４０が予め記憶されていると仮定する。
【００４３】
ユーザがＡ会議室に入り、プロジェクタ４０の電源を投入すると、まず、ステップＳ９０にて設定管理部４４は、位置取得部４２から位置情報を取得する。その際、設定管理部４４は、取得した位置情報が自己の記憶部４７の設定管理情報４４０に記憶されているかを検索する。取得した位置情報が自己の記憶部４７に記憶されている場合、設定管理部４４は、その位置情報に対応する設定情報をプロジェクタ４０の設定情報として決定し、本処理を終了するか、またはステップＳ９２に進む。
【００４４】
取得した位置情報（Ａ会議室）がプロジェクタ４０の記憶部４７に記憶されていない場合（または記憶されていてもステップＳ９２に進んだ場合）、図８に示した２．の枠内の処理を実行する。その結果、２．の枠内にて他のプロジェクタが行う設定情報の決定処理に基づき、プロジェクタ４０は、他のプロジェクタ１０から決定された設定情報を取得する。
【００４５】
ここでは、図１０に示したように、設定管理情報１４０には位置情報１４１がＡ会議室である場合の設定情報１４２が存在する。よって、設定管理部１４は、設定情報を「レベル５」と決定し、通信部１３は、設定情報「レベル５」をプロジェクタ４０に送信する。
【００４６】
ステップＳ９４では、プロジェクタ４０が取得した設定情報が複数存在するかを判定する。ここでは、取得した設定情報は複数ではないため、ステップＳ９５に進み、取得した他のプロジェクタ１０の設定情報「レベル５」を自己のプロジェクタ４０の設定情報として決定し、本処理を終了する。
【００４７】
以上に説明したように、第１実施形態に係る設定情報の決定方法によれば、図１０に示したように、Ａ会議室で使用されるプロジェクタ４０は、他のプロジェクタ１０に記憶された設定情報を利用して、所望の情報を「レベル５」の明るさで投影する。また、このときの設定情報は、位置情報であるＡ会議室に対応付けて記憶部４７に記憶される。その結果、記憶部４７の設定管理情報４４０には、Ｂ会議室、Ｃ会議室に対応した設定情報に加えて、Ａ会議室に対応した設定情報が蓄積される。このようにして、プロジェクタ４０の設定管理情報４４０もまた、プロジェクタ１０、５０が使用される際の設定情報として利用され得る。
【００４８】
特に、初めてプロジェクタが使用される場所において、自己のプロジェクタの設定情報が存在しないために、位置情報と結びついた自己のプロジェクタの設定情報（履歴情報）が自動設定できない場合であっても、他のプロジェクタの設定情報を利用することにより、自己のプロジェクタの位置に適した設定情報を迅速に自動設定することができる。
【００４９】
また、図１に示した情報表示システムでは、図３に示した変形例の情報表示システムと比較して、ネットワーク３０上に記憶装置２０を用意する必要なく、他のプロジェクタの設定情報を取得して、自己のプロジェクタの設定情報としてプロジェクタ同士が相互に設定情報を利用し合うことができる利点がある。
＜第２実施形態＞
次に、第２実施形態に係る設定情報の決定方法について、再度図９を参照しながら説明する。第２実施形態では、プロジェクタ５０が複数の他のプロジェクタ１０、４０の記憶部１７、４７に記憶された設定管理情報を用いて自己の位置情報（ここではＡ会議室）に対応する設定情報を定める。
【００５０】
前提として、本実施形態では、プロジェクタ１０の記憶部１７には、図１１に示した設定管理情報１４０が予め記憶され、プロジェクタ４０の記憶部４７には、図１１に示した設定管理情報４４０が予め記憶されていると仮定する。更に、プロジェクタ５０の記憶部には、図１１の紙面左側に示した設定管理情報５４０が予め記憶されていると仮定する。
【００５１】
ユーザがＡ会議室に入り、プロジェクタ５０の電源を投入すると、まず、ステップＳ９０にてプロジェクタ５０の設定管理部は、プロジェクタ５０の位置取得部から位置情報を取得する。その際、プロジェクタ５０の設定管理部は、取得した位置情報が自己の記憶部の設定管理情報５４０に記憶されているかを検索する。取得した位置情報が自己の記憶部に記憶されている場合、プロジェクタ５０の設定管理部は、その記憶されている位置情報に対応する設定情報をプロジェクタ５０の設定情報として決定し、本処理を終了するか、またはステップＳ９２に進む。
【００５２】
取得した位置情報（Ａ会議室）がプロジェクタ５０の記憶部に記憶されていない場合（または記憶されていてもステップＳ９２に進んだ場合）、図８に示した２．の枠内の処理を実行する。その結果、２．の枠内にて他のプロジェクタが行う設定情報の決定処理に基づき、プロジェクタ５０は、他のプロジェクタ１０、４０から決定された設定情報を取得する。
【００５３】
ここでは、図１１に示したように、設定管理情報１４０には位置情報１４１がＡ会議室である場合の設定情報１４２が存在する。よって、設定管理部１４は、設定情報を「レベル５」と決定し、通信部１３は、設定情報「レベル５」をプロジェクタ４０に送信する。
【００５４】
また、図１１に示したように、設定管理情報４４０には位置情報４４１がＡ会議室である場合の設定情報４４２が存在する。よって、設定管理部４４は、設定情報を「レベル４」と決定し、通信部４３は、設定情報「レベル４」をプロジェクタ５０に送信する。
【００５５】
ステップＳ９４では、プロジェクタ５０が取得した設定情報が複数存在するかを判定する。本実施形態では、取得した設定情報は複数であるため、ステップＳ９６に進み、取得した他のプロジェクタ１０、４０の設定情報のうち、最大値「レベル５」を自己のプロジェクタ５０の設定情報として決定し、本処理を終了する。
【００５６】
以上に説明したように、第２実施形態に係る設定情報の決定方法によれば、Ａ会議室で使用されるプロジェクタ５０は、他のプロジェクタ１０、４０に記憶された設定情報のうちの最大値を利用して、所望の情報を「レベル５」の明るさで投影する。このようにしてプロジェクタの設定値としてより明るい方を採用することにより、情報をより視覚的に見易い状態で表示できる。
【００５７】
また、このときの設定情報は、プロジェクタ５０のＡ会議室における設定情報としてプロジェクタ５０の記憶部に記憶される。その結果、プロジェクタ５０の記憶部の設定管理情報５４０には、Ｂ会議室、Ｃ会議室に対応した設定情報に加えて、位置情報であるＡ会議室に対応した設定情報が蓄積される。プロジェクタ５０の設定情報もまた、プロジェクタ１０、４０が使用される際の設定情報として利用され得る。
＜第３実施形態＞
次に、第３実施形態に係る設定情報の決定方法について、図１２を参照しながら説明する。第３実施形態では、プロジェクタ毎に省エネ情報を記憶部に保存している場合の例である。省エネ情報はユーザ操作によりプロジェクタに設定される情報であり、設定時に記憶部に保存される。省エネ情報は、通常モード又はエコモードのいずれかに設定される。
【００５８】
ここでは、図１３に示したようにプロジェクタ１０に記憶された設定管理情報１４０、及びプロジェクタ４０に記憶された設定管理情報４４０に基づき、Ａ会議室におけるプロジェクタ５０の設定情報を決定する場合を考える。プロジェクタ５０の記憶部には、図１３に示した設定管理情報５４０が予め記憶されていると仮定する。
【００５９】
ユーザがＡ会議室に入り、プロジェクタ５０の電源を投入すると、まず、ステップＳ１２０にてプロジェクタ５０の設定管理部は、プロジェクタ５０の位置取得部から位置情報を取得する。また、ステップＳ１２２にてプロジェクタ５０の設定管理部は、省エネ情報を取得する。その際、プロジェクタ５０の設定管理部は、取得した位置情報が自己の記憶部の設定管理情報５４０に記憶されているかを検索する。取得した位置情報が自己の記憶部に記憶されている場合、プロジェクタ５０の設定管理部は、その記憶されている位置情報に対応した設定情報をプロジェクタ５０の設定情報として決定し、本処理を終了する。もちろん、処理を終了せずにステップＳ１２４に進むこともできる。
【００６０】
取得した位置情報（例えばＡ会議室）に対応する設定情報がプロジェクタ５０の記憶部に記憶されていない場合（ステップＳ１２４に進んだ場合も含む）、図８に示した２．の枠内の処理を実行する。その結果、２．の枠内にて他のプロジェクタが行う設定情報の決定処理に基づき、プロジェクタ５０は、他のプロジェクタ１０、４０から決定された設定情報を取得する。
【００６１】
ここでは、図１３に示したように、設定管理情報１４０には位置情報がＡ会議室である場合の設定情報が存在する。よって、設定管理部１４は、設定情報を「レベル５」と決定し、通信部１３は、設定情報「レベル５」をプロジェクタ４０に送信する。
【００６２】
また、図１３に示したように、設定管理情報４４０には位置情報がＡ会議室である場合の設定情報が存在する。よって、設定管理部４４は、設定情報を「レベル４」と決定し、通信部４３は、設定情報「レベル４」をプロジェクタ５０に送信する。
【００６３】
ステップＳ１２６では、プロジェクタ５０が取得した設定情報が複数存在するかを判定する。ここでは、取得した設定情報は複数であるため、ステップＳ１２８に進み、設定管理部４４は、省エネ情報がエコモードであるかを判定する。
【００６４】
省エネ情報がエコモードに設定されている場合、設定管理部４４は、ステップＳ１３０に進み、取得した他のプロジェクタ１０、４０の設定情報のうち、最小値「レベル４」を自己のプロジェクタ５０の設定情報として決定し、本処理を終了する。
【００６５】
省エネ情報が通常モードに設定されている場合、設定管理部４４は、ステップＳ１３２にて第２実施形態と同様に取得した他のプロジェクタ１０、４０の設定情報のうち、最大値「レベル５」を自己のプロジェクタ５０の設定情報として決定し、本処理を終了する。
【００６６】
以上に説明したように、第３実施形態に係る設定情報の決定方法によれば、省エネ情報が通常モードの場合は、複数のプロジェクタから取得した複数の設定情報のうち、最も明るい値を採用するため、プロジェクタ５０により決定される設定情報は第２実施形態と同様となる。
【００６７】
一方、省エネ情報がエコモードの場合は、複数のプロジェクタから取得した複数の設定情報のうち、最も暗い値を採用する。このため、ユーザが省エネを希望している場合には、図１３に示したように、プロジェクタ５０により決定される設定情報は最小値「レベル４」に設定され、その明るさで情報が投影され、消費電力の低減を図ることができる。このようにして本実施形態では、プロジェクタ５０の設定にユーザの意思を反映させ、省エネルギー化を図ることができる。
【００６８】
なお、複数の設定情報がない場合には、ステップＳ１３４にて取得した他のプロジェクタの設定情報が自己のプロジェクタの設定情報として利用される。
＜第４実施形態＞
次に、第４実施形態に係る設定情報の決定方法について、図１５の設定情報を決定するシーケンスを参照しながら説明する。第４実施形態では、プロジェクタ毎に制御パラメータ変換情報を記憶部に保存している場合の例である。制御パラメータ変換情報の一例を図１４に示す。制御パラメータ変換情報１７０は、ユーザが設定する設定情報１７１と、実際にプロジェクタを制御するための制御パラメータ１７２から構成される。第４実施形態では、制御パラメータ変換情報１７０により、設定情報を決定する際に各機種の特性を考慮する。これにより、本実施形態では、異なる機種の設定情報を利用した場合にも、他のプロジェクタに保持された設定情報を利用して、自己のプロジェクタの機種に適した設定情報を求めることができる。制御パラメータ変換情報１７０は、予めプロジェクタ内部に保存されており変更されることはい。
【００６９】
図１５の設定情報の決定処理は、プロジェクタの電源が投入される際に以下の手順で実行される。ここでは自己のプロジェクタをプロジェクタ４０（設定情報取得側）、他のプロジェクタをプロジェクタ１０（設定提供側）とし、プロジェクタ４０の動作について説明する。
【００７０】
１．ユーザ操作によりプロジェクタ４０の電源が投入され、プロジェクタ４０が起動する。
１．１．操作部４１は、電源オンに応じて設定情報の取得を設定管理部４４に要求する。
１．２．設定管理部４４は、位置取得部４２からプロジェクタ４０の位置情報を取得する。
１．３．設定管理部４４は、取得した位置情報が記憶部４７に記憶されているかを検索し、記憶されていればその位置情報に対応した設定情報を取得する。その場合、次に説明する２．〜２．６．の処理を行うことなく、１．４．の処理を実行する。もちろん、次に説明する２．〜２．６．の処理を行った後に１．４．の処理を実行してもよい。
【００７１】
２．取得した位置情報に対応する設定情報が記憶部４７に記憶されていない場合、現在のプロジェクタ４０の位置に対応した設定情報を他のプロジェクタ１０から取得する。
２．１．まず、設定管理部４４は、制御パラメータに応じた現在の位置情報に対する設定情報の取得を他のプロジェクタ１０に要求する。
２．２．通信部４３は、この要求を他のプロジェクタ１０の通信部１３に送信し、通信部１３はこの要求を受信する。
２．３．通信部１３は、この要求を他のプロジェクタ１０内の設定管理部１４に伝える。
２．４．設定管理部１４は、記憶部１７から送信されたプロジェクタ４０の現在の位置情報に対応する設定情報を取得する。
２．５．設定管理部１４は、制御パラメータ変換情報１７０に基づき取得された設定情報を制御パラメータに変換する。通信部１３は、変換された制御パラメータを、通信部４３を介してプロジェクタ４０に送信する。例えば、図１７では、設定情報が「レベル５」の場合、制御パラメータ変換情報１７０の設定情報１７１に対応する制御パラメータ１７２「７５０ルクス」に変換される。
２．６．プロジェクタ４０の設定管理部４４は、制御パラメータ変換情報４７０に基づき、プロジェクタ１０から送られた制御パラメータに対応する設定情報を決定する。例えば、図１７では、制御パラメータ４７２「７５０ルクス」に対応する設定情報４７１「レベル３」が決定される。
２．７．設定管理部４４は、決定された設定情報を位置情報に対応付けて記憶部４７に保存する。
【００７２】
１．４．設定管理部４４により設定情報が決定すると、操作部４１は、設定管理部４４に情報の表示を要求する。
１．５．設定管理部４４は、記憶部４７から現在のプロジェクタ４０の位置に対応する設定情報を取得する。
１．６．制御部４５は、設定情報を使用して表示部４６に表示する情報の出力（光量）を制御する。
１．７．表示部４６は、制御部４５の制御に従い情報をディスプレイに表示する。
【００７３】
本実施形態では、性能の異なるプロジェクタ１０、プロジェクタ４０においても、プロジェクタ１０の設定情報に基づき、Ａ会議室におけるプロジェクタ４０の設定情報を決定することができる。
【００７４】
更に、本実施形態の動作のうち、図１５の２．６．に示した、制御パラメータ変換情報４７０に基づきプロジェクタ１０から送られた制御パラメータに対応する設定情報を決定する動作について、図１６に示した設定情報の決定処理のフローチャートに基づき説明する。
【００７５】
前提として、本実施形態では、プロジェクタ１０の記憶部１７には、図１７に示した設定管理情報１４０及び制御パラメータ１７０が予め記憶され、プロジェクタ４０の記憶部４７には、設定管理情報４４０及び制御パラメータ４７０が予め記憶されていると仮定する。図１７の紙面左側の設定管理情報４４０は設定情報取得前の状態を示し、紙面の右側の設定管理情報４４０は設定情報取得後の状態を示している。
【００７６】
プロジェクタ４０の設定管理部４４は、制御パラメータ変換情報４７０に基づき、プロジェクタ１０から送られた制御パラメータに対応する設定情報を決定する（図１５の２．６．）。まず、図１６のステップＳ１６０にて、設定管理部４４は、他のプロジェクタ１０から取得した制御パラメータと等しい制御パラメータに対応する設定情報が自己の記憶部４７に記憶された制御パラメータ変換情報４７０に存在するかを判定する。
【００７７】
存在する場合、ステップＳ１６２にて、設定管理部４４は、その設定情報を自プロジェクタ４０の設定情報として決定する。図１７は、設定管理情報１４０から取得された設定情報１４２の「レベル５」に基づき、制御パラメータ変換情報１７０の設定情報１７１の「レベル５」から制御パラメータ１７２の「７５０ルクス」が変換され、プロジェクタ４０に送信された場合を示す。この場合、設定管理部４４は、制御パラメータ変換情報４７０に基づき、制御パラメータ４７２の「７５０ルクス」に対応する設定情報４７１の「レベル３」を自プロジェクタ４０の設定情報として決定する。
【００７８】
一方、再び図１６に戻り、ステップＳ１６０にて他のプロジェクタ１０から取得した制御パラメータと等しい制御パラメータに対応する設定情報が制御パラメータ変換情報４７０に存在しないと判定された場合、ステップＳ１６４に進み、設定管理部４４は、他のプロジェクタ１０から取得した制御パラメータよりも大きい制御パラメータに対応する設定情報が制御パラメータ変換情報４７０に存在するかを判定する。
【００７９】
存在する場合、ステップＳ１６６にて、設定管理部４４は、取得した制御パラメータよりも大きい制御パラメータのうち最小値の制御パラメータに対応する設定情報を自プロジェクタ４０の設定情報として決定する。
【００８０】
例えば、このようにステップＳ１６０→ステップＳ１６４→ステップＳ１６６と進む処理の一例を図１８に示す。図１８の紙面左側の設定管理情報４４０は設定情報取得前の状態を示し、紙面の右側の設定管理情報４４０は設定情報取得後の状態を示している。
【００８１】
図１８では、プロジェクタ１０の位置情報１４１「Ａ会議室」における設定情報１４２は「レベル５」である。図１８の制御パラメータ変換情報１７０によれば、設定情報１７１「レベル５」の制御パラメータ１７２は「７５０ルクス」である。よって、プロジェクタ４０は「７５０ルクス」という制御パラメータを取得する。
【００８２】
そして、設定管理部４４では、制御パラメータ変換情報４７０に基づき、制御パラメータ４７２の「７５０ルクス」を設定情報に変換する。このとき、制御パラメータ変換情報４７０には、「７５０ルクス」の制御パラメータ４７２が存在しない。よって、設定管理部４４は、取得した制御パラメータ「７５０ルクス」よりも大きい制御パラメータ４７２「１０００ルクス」及び「１５００ルクス」のうち最小値「１０００ルクス」を選択し、その制御パラメータに対応する設定情報「レベル４」を自プロジェクタ４０の設定情報として決定する。これにより、プロジェクタ４０の記憶部４７に記憶される設定管理情報４４０は図１７の紙面右側のように更新される。
【００８３】
再度図１６に戻り、ステップＳ１６４にて他のプロジェクタ１０から取得した制御パラメータよりも大きい制御パラメータに対応する設定情報が制御パラメータ変換情報４７０に存在しない場合について説明する。この場合、ステップＳ１６８にて、設定管理部４４は、自プロジェクタ４０の最大値を自プロジェクタ４０の設定情報として決定する。
【００８４】
例えば、このようにステップＳ１６０→ステップＳ１６４→ステップＳ１６８と進む処理の一例を図１９に示す。図１９の紙面左側の設定管理情報４４０は設定情報取得前の状態を示し、紙面の右側の設定管理情報４４０は設定情報取得後の状態を示している。
【００８５】
図１９では、Ａ会議室おけるプロジェクタ１０の設定情報「レベル５」に対応する制御パラメータである「７５０ルクス」よりも大きい制御パラメータが、制御パラメータ変換情報４７０に存在しない。この場合、設定管理部４４は、制御パラメータ変換情報４７０に存在する最大値である「レベル５」を設定情報として決定する。これにより、プロジェクタ４０の記憶部４７に記憶される設定管理情報４４０は図１９の紙面右側のように更新される。
【００８６】
以上に説明したように、第４実施形態に係る設定情報の決定方法によれば、制御パラメータを用いて各機種の特性を考慮しながら設定情報を決定する。このため、同じ性能の情報表示装置が存在しない場合であっても、異なる機種の他のプロジェクタに保持された設定情報を利用して、自己のプロジェクタの機種に適した設定情報を求めることができる。
【００８７】
また、情報を取得した他のプロジェクタの制御パラメータと同値である設定情報が自己のプロジェクタの制御パラメータに存在しない場合でも、プロジェクタ毎の性能に適した設定情報を決定することができる。
【００８８】
更に、情報を取得した他のプロジェクタよりも性能が低いプロジェクタであって、取得した制御パラメータが設定情報の最大値よりも大きい場合でも、性能が低いプロジェクタに対してより適切な設定情報を決定することができる。
＜第５実施形態＞
次に、第５実施形態に係る設定情報の決定方法について説明する。第５実施形態に係るプロジェクタ１０は、図２に示したプロジェクタ１０の機能に加えて、更に時間管理部１８の機能を有する。すなわち、図２０に示したように、プロジェクタ１０は、操作部１１、位置取得部１２、通信部１３、設定管理部１４、制御部１５、表示部１６、記憶部１７及び時間管理部１８を有している。
【００８９】
ここでは、新たに追加された時間管理部１８の機能を中心に説明する。時間管理部１８は時刻情報を取得するタイマー機能を持っている。時間管理部１８はこのタイマー機能を用いて、時刻情報を時間帯情報と対応させて管理する。図２１には、記憶部１７に保存された時間帯定義情報１８０の一例が示されている。時間帯定義情報１８０は、時刻情報１８１と時間帯情報１８２とを対応させて記憶している。時間帯情報１８２は、午前、午後、夜間というように、時刻情報１８１に応じて時間帯を定義した情報である。
【００９０】
図２２には、設定管理情報の一例として、プロジェクタ４０の設定管理情報４４０が示されている。本実施形態では、設定管理情報４４０には、位置情報４４１及び設定情報４４２に加えて、時間帯情報４４３が追加されている。これにより、例えば位置情報がＡ会議室であっても時間帯によって設定情報４４２のレベルを変えることができる。
【００９１】
第５実施形態に係る設定情報の決定方法について、具体的に図２３のフローチャートを参照しながら説明する。
【００９２】
ユーザがＡ会議室に入り、プロジェクタ１０の電源を投入すると、まず、ステップＳ２３０にて設定管理部１４は、位置取得部１２から位置情報を取得する。また、ステップＳ２３２にて設定管理部１４は、タイマー機能を用いて取得した現在時刻が含まれる時間帯情報を取得する。その際、設定管理部１４は、取得した位置情報及び時間帯情報に対応する設定情報が自己の記憶部１７の設定管理情報１４０に記憶されているかを検索する。取得した位置情報及び時間帯情報に対応する設定情報が自己の記憶部１７に記憶されている場合、設定管理部１４は、その記憶されている設定情報をプロジェクタ１０の設定情報として決定し、本処理を終了する。もちろん、処理を終了せずにステップＳ２３４に進むこともできる。
【００９３】
一方、取得した位置情報及び時間帯情報に対応する設定情報がプロジェクタ１０の記憶部１７に記憶されていない場合（またはステップＳ２３４に進んだ場合）、設定管理部１４は、ステップＳ２３４にて、位置情報及び時間帯情報に基づき他のプロジェクタから決定された設定情報を取得する。
【００９４】
ここでは、図２２に示したように、他のプロジェクタ４０の設定管理情報４４０には位置情報が「Ａ会議室」である場合、３つの時間帯「午前」、「午後」、「夜間」のうち、プロジェクタ１０から取得した時間帯情報に合致した設定情報が選択され、プロジェクタ１０に送られる。
【００９５】
例えば、プロジェクタ１０から他のプロジェクタ４０に送信された位置情報が「Ａ会議室」及び時間帯情報が「午前」の場合、設定情報は「レベル５」に決定される。
【００９６】
よって、設定管理部４４は、設定情報を「レベル５」と決定し、通信部４３は、設定情報「レベル５」をプロジェクタ１０に送信する。このようにして設定管理部１４は、プロジェクタ１０の位置情報及びプロジェクタ１０が使用される時間帯情報に応じた他のプロジェクタ４０の設定情報「レベル５」を取得する。
【００９７】
次に、プロジェクタ１０が取得した設定情報が複数存在するか、ステップＳ２３６にて判定する。ここでは、取得した設定情報は複数ではないため、ステップＳ２４０に進み、設定管理部１４は、取得した他のプロジェクタの設定情報「レベル５」を自己のプロジェクタ５０の設定情報として決定し、本処理を終了する。
【００９８】
なお、プロジェクタ１０が取得した設定情報が複数存在する場合には、ステップＳ２３８に進み、設定管理部１４は、取得した複数の他のプロジェクタの設定情報のうち同じ時間帯に属する設定情報であって最大値のものを自己のプロジェクタの設定情報として決定し、本処理を終了する。
【００９９】
本実施形態では、記憶部１７に設定情報を保存する際、位置情報とともにその時点の時刻情報を時間管理部１８から取得する。時間管理部１８では、記憶部１７に保存されている時間帯定義情報１８０から、その時点の時刻情報１８１に基づき時間帯情報１８２を取得し、位置情報及び設定情報と対応させて記憶部１７に保存する。
【０１００】
以上に説明したように、第５実施形態に係る設定情報の決定方法によれば、位置情報に加えて時間帯情報も合わせて設定情報を決定するため、他のプロジェクタの設定情報に基づき、よりプロジェクタの使用環境に近い環境を示す設定情報を決定できる。
【０１０１】
なお、上記実施形態では、他のプロジェクタへ設定情報を要求する際、位置情報とともにその時点の時刻情報を送信したが、位置情報のみ送信し、他のプロジェクタが、自己のタイマー機能を用いてその時点の時刻情報を自ら求め、求められたその時点の時刻情報から時間帯情報を算出し、送信された位置情報と算出された時間帯情報に基づき、設定情報を決定してもよい。
＜第６実施形態＞
次に、第６実施形態に係る設定情報の決定方法について説明する。第６実施形態に係るプロジェクタ１０は、図２に示したプロジェクタ１０の機能に加えて、更に明るさ取得部１９の機能を有する。すなわち、図２４に示したように、プロジェクタ１０は、操作部１１、位置取得部１２、通信部１３、設定管理部１４、制御部１５、表示部１６、記憶部１７及び明るさ取得部１９を有している。
【０１０２】
ここでは、新たに追加された明るさ取得部１９の機能を中心に説明する。明るさ取得部１９は、周囲の明るさを検出するセンサ（図示せず）を有し、センサ検出値からプロジェクタの周囲の明るさ情報を算出する。図２５には、設定管理情報の一例として、プロジェクタ４０の設定管理情報４４０が示されている。設定管理情報４４０は、位置情報４４１及び設定情報４４２に加えて明るさ情報４４４が追加されている。図２５に示したように、例えば位置情報がＡ会議室であっても明るさ情報４４４によって設定情報４４２のレベルを変えることができる。
【０１０３】
第６実施形態に係る設定情報の決定方法について、具体的に図２６のフローチャートを参照しながら説明する。
【０１０４】
ユーザがＡ会議室に入り、プロジェクタ１０の電源を投入すると、まず、ステップＳ２６０にて設定管理部１４は、位置取得部１２から位置情報を取得する。また、ステップＳ２６２にて設定管理部１４は、センサにより検出されたセンサ値からプロジェクタ１０が置かれた位置の明るさ情報を取得する。その際、設定管理部１４は、取得した位置情報及び明るさ情報に対応する設定情報が自己の記憶部１７の設定管理情報１４０に記憶されているかを検索する。取得した位置情報及び明るさ情報に対応する設定情報が自己の記憶部１７に記憶されている場合、設定管理部１４は、その記憶されている設定情報をプロジェクタ１０の設定情報として決定し、本処理を終了する。もちろん、処理を終了せずにステップＳ２６４に進むこともできる。
【０１０５】
一方、取得した位置情報及び明るさ情報に対応する設定情報がプロジェクタ１０の記憶部１７に記憶されていない場合（またはステップＳ２６４に進んだ場合）、設定管理部１４は、ステップＳ２６４にて、位置情報及び明るさ情報に基づき他のプロジェクタから決定された設定情報を取得する。
【０１０６】
他プロジェクタに設定情報を要求する場合は、位置情報と合わせて明るさ情報も他プロジェクタに送信する。設定情報を提供する他のプロジェクタでは、送信された位置情報と明るさ情報が一致するものを設定情報として定め、プロジェクタ１０に送信する。一致する明るさ情報がない場合は、送信された明るさ情報より大きい明るさ情報のうち、レベルが最小のものを設定情報として定め、プロジェクタ１０に送信する。
【０１０７】
ここでは、図２５に示したように、他のプロジェクタ４０の設定管理情報４４０には位置情報４４１が「Ａ会議室」である場合、２つの明るさ情報４４４「２０００ルクス」、「５００ルクス」のうち、プロジェクタ１０から取得した明るさ情報に合致した設定情報を選択する。プロジェクタ１０から取得した位置情報が「Ａ会議室」及び明るさ情報が「５００ルクス」の場合、設定情報４４２「レベル３」が選択される。
【０１０８】
よって、設定管理部４４は、設定情報を「レベル３」と決定し、通信部４３は、設定情報「レベル３」及び明るさ情報「５００ルクス」をプロジェクタ１０に送信する。このようにしてプロジェクタ１０の設定管理部１４は、プロジェクタ１０の位置情報及びプロジェクタ１０が使用される明るさの環境に応じた他のプロジェクタ４０の設定情報「レベル３」を取得する。
【０１０９】
また例えば、プロジェクタ１０から取得した位置情報が「Ａ会議室」及び明るさ情報が「７００ルクス」の場合、設定管理情報４４０に一致する明るさ情報が存在しない。その場合、他のプロジェクタ４０は、取得した明るさ情報より大きい明るさ情報のうち、レベルが最小のものを設定情報とする。その場合、図２５では、設定情報は「レベル５」に決定される。
【０１１０】
よって、その場合には設定管理部４４は、設定情報を「レベル５」と決定し、通信部４３は、設定情報「レベル５」及び明るさ情報「２０００ルクス」をプロジェクタ１０に送信する。
【０１１１】
このようにして設定管理部１４は、プロジェクタ１０の位置情報及びプロジェクタ１０が使用される明るさの環境により適した設定情報を他のプロジェクタ４０から取得する。
【０１１２】
次に、ステップＳ２６６には設定管理部１４は、プロジェクタ１０が取得した設定情報が複数存在するかを判定する。取得した設定情報が複数ではない場合、ステップＳ２６８に進み、設定管理部１４は、取得した他のプロジェクタの設定情報を自己のプロジェクタ５０の設定情報として決定し、本処理を終了する。
【０１１３】
プロジェクタ１０が取得した設定情報が複数存在する場合には、ステップＳ２７０に進み、設定管理部１４は、明るさ情報が一致するかを判定する。
【０１１４】
プロジェクタ１０から他のプロジェクタ４０に送信された明るさ情報が「５００ルクス」の場合であって、他のプロジェクタ４０から「レベル３」及び明るさ情報「５００ルクス」を取得している場合、設定管理部１４は、明るさ情報と一致する他のプロジェクタの設定情報があると判定し、ステップＳ２７２にて明るさ情報が一致する他のプロジェクタ４０の設定情報「レベル３」を自己のプロジェクタの設定情報として決定し、本処理を終了する。
【０１１５】
一方、プロジェクタ１０から他のプロジェクタ４０に送信された明るさ情報が「７００ルクス」の場合であって、他のプロジェクタ４０から「レベル５」及び明るさ情報「２０００ルクス」を取得している場合、設定管理部１４は、取得した複数の他のプロジェクタの設定情報のうち明るさ情報と一致する設定情報がないと判定し、ステップＳ２７４にて、取得した明るさ情報より大きい明るさ情報のうち、レベルが最小の設定情報「レベル５」を自己のプロジェクタの設定情報として決定し、本処理を終了する。
【０１１６】
以上に説明したように、第６実施形態に係る設定情報の決定方法によれば、位置情報に加えて明るさ情報も合わせて設定情報を決定するため、他のプロジェクタの設定情報に基づき、よりプロジェクタの使用環境に近い環境を示す設定情報を決定できる。
【０１１７】
以上に説明したように、上記各実施形態に係る情報表示システム１によれば、他のプロジェクタの設定情報を利用して自己のプロジェクタの位置に対応する設定情報を設定することができる。
【０１１８】
上記各実施形態に係る情報表示システム１では、個々のプロジェクタにおいて、電源を切る際に、位置情報と結び付けて設定情報を、ネットワーク３０上のサーバあるいはプロジェクタ本体内の記憶領域に保存する。そして、あるプロジェクタの電源投入時に、ネットワーク３０を介して他のプロジェクタに記憶された設定情報またはサーバ上に記憶された設定情報を受信し、受信した設定情報を利用して、あるプロジェクタの配置場所において最適な設定情報を決定する。
【０１１９】
これによれば、他のプロジェクタにて保存されている設定情報に基づき、その場所に適した設定をすることができる。特に、たとえ初めてプロジェクタが使用される場所であっても、他のプロジェクタにて保存されている設定情報を利用して、プロジェクタの場所に適した設定をすることができる。使用する位置情報はプロジェクタが使用される会議室などであり、使用される環境に応じて情報を表示する際の明るさを調整することができる。
【０１２０】
以上、添付図面を参照しながら情報表示システムの好適な実施形態について詳細に説明したが、情報表示システムの技術的範囲はかかる例に限定されない。情報表示システムの技術分野における通常の知識を有する者であれば、特許請求の範囲に記載された技術的思想の範疇において、各種の変更例または修正例に想到し得ることは明らかであり、これらについても、当然に上述した情報表示システムの技術的範囲に属する。
【０１２１】
なお、情報表示装置には、図示しないＣＰＵが内蔵されている。ＣＰＵにより実行される各機能を実現するためのプログラムは、はじめから図示しないコンピュータに備えられた図示しないＲＯＭあるいはＨＤＤ等の記憶手段に格納されてもよいし、記録媒体であるＣＤ−ＲＯＭあるいはフレキシブルディスク，ＳＲＡＭ，ＥＥＰＲＯＭ，メモリカード等の不揮発性記録媒体（メモリ）に記録され、メモリに記録されたプログラムをコンピュータにインストールしてＣＰＵに実行させるか、又はＣＰＵにそのメモリからこのプログラムを読み出して実行させてもよい。さらに、ネットワークに接続され、プログラムを記録した記録媒体を備える外部機器あるいはプログラムを記憶手段に記憶した外部機器からダウンロードすることもできる。
【符号の説明】
【０１２２】
１                      情報表示システム
１０，４０，５０        情報表示装置
１１，４１              操作部
１２，４２              位置取得部
１３，４３              通信部
１４，４４              設定管理部
１５，４５              制御部
１６，４６              表示部
１７                    記憶部
２０                    記憶装置
３０                    ネットワーク
１２０                  位置情報変換テーブル
１４０，４４０，５４０  設定管理情報
１４１，４４１，５４１  位置情報
１４２，４４２，５４２  設定情報
１７０，４７０          制御パラメータ変換情報
【先行技術文献】
【特許文献】
【０１２３】
【特許文献１】特開２０１０−２４３８４５号公報
【特許文献２】特開２００７−２９９１４８号公報
【図１】
0005962212.tif 000002
【図２】
0005962212.tif 000003
【図３】
0005962212.tif 000004
【図４】
0005962212.tif 000005
【図５】
0005962212.tif 000006
【図６】
0005962212.tif 000007
【図７】
0005962212.tif 000008
【図８】
0005962212.tif 000009
【図９】
0005962212.tif 000010
【図１０】
0005962212.tif 000011
【図１１】
0005962212.tif 000012
【図１２】
0005962212.tif 000013
【図１３】
0005962212.tif 000014
【図１４】
0005962212.tif 000015
【図１５】
0005962212.tif 000016
【図１６】
0005962212.tif 000017
【図１７】
0005962212.tif 000018
【図１８】
0005962212.tif 000019
【図１９】
0005962212.tif 000020
【図２０】
0005962212.tif 000021
【図２１】
0005962212.tif 000022
【図２２】
0005962212.tif 000023
【図２３】
0005962212.tif 000024
【図２４】
0005962212.tif 000025
【図２５】
0005962212.tif 000026
【図２６】
0005962212.tif 000027